(57)【要約】【課題】ディジタルプリディストータ型の歪補償送信装置に関し、ＤＡ変換器のダイナミックレンジの最大範囲までを有効に活用してディジタル信号をアナログ信号に変換する。【解決手段】ＤＡ変換器７−４に入力される送信信号の振幅レベルの最大値を最大値検出部１−１により検出し、閾値比較部１−２によるこの最大値と閾値との大小比較判定を基に、ＤＡ変換器７−４の入力信号の最大値が、ＤＡ変換器７−４のダイナミックレンジの最大値と略等しくなるよう、第１のゲイン制御部１−３でＤＡ変換器７−４の入力信号のゲイン調整を行う。また、ＤＡ変換器７−４から出力されるアナログ信号に対して、第２のゲイン制御部１−５で可変減衰器１−６の減衰量を設定し、元の振幅に戻して電力増幅器等のアナログ送信回路部７−５に入力する。【選択図】　　　図１
2004032252.tif 000002
【特許請求の範囲】
【請求項１】
電力増幅器等の非線型歪を生じるアナログ送信回路部から出力される送信信号のフィードバック信号と送信すべき信号の入力信号とを比較してその誤差が最小となるような歪補償係数を、送信すべき信号の入力信号に乗じて歪補償し、該歪補償後のディジタル信号の送信信号をアナログ信号に変換し、該アナログ信号の送信信号を前記電力増幅器等のアナログ送信回路部へ送出する歪補償送信装置において、
前記アナログ信号の送信信号に変換するディジタルアナログ変換器に入力されるディジタル信号の送信信号の振幅の最大値を検出する手段と、
該ディジタル信号の送信信号の振幅の最大値を基に、該ディジタルアナログ変換器に入力されるディジタル信号の送信信号の振幅を調整する手段と、
該ディジタルアナログ変換器から出力されるアナログ信号の送信信号の振幅値を調整する手段と、
を備えたことを特徴とする歪補償送信装置。
【請求項２】
前記ディジタルアナログ変換器に入力されるディジタル信号の送信信号の振幅の最大値が、該ディジタルアナログ変換器のダイナミックレンジの最大値より僅かに小さい値となるように、前記ディジタルアナログ変換器に入力されるディジタル信号の送信信号の振幅を調整することを特徴とする請求項１に記載の歪補償送信装置。
【請求項３】
前記ディジタルアナログ変換器に入力されるディジタル信号の送信信号の振幅を調整する手段を、歪補償送信装置に入力される送信信号のゲインを調整する調整手段としたことを特徴とする請求項１又は２に記載の歪補償送信装置。
【請求項４】
前記ディジタルアナログ変換器に入力されるディジタル信号の送信信号の振幅を調整する手段を、歪補償送信装置のフィードバック信号のゲインを調整する手段、又は該フィードバック信号と比較される送信すべき入力信号のゲインを調整する手段としたことを特徴とする請求項１又は２に記載の歪補償送信装置。
【請求項５】
前記アナログ信号の送信信号に変換するディジタルアナログ変換器に入力されるディジタル信号の送信信号の平均電力を算出する手段と、
該算出した平均電力を、予め設定された所望の送信信号の出力電力に対応した電力閾値と比較する比較手段と、
前記比較手段による比較結果を基に、送信信号の出力電力が該設定された所望の電力値と等しくなるように、前記ディジタルアナログ変換器に入力されるディジタル信号の送信信号の振幅を調整する手段と、
を備えたことを特徴とする請求項１に記載の歪補償送信装置。
【発明の詳細な説明】
【０００１】
【発明の属する技術分野】
本発明は、無線通信システムの送信装置における電力増幅器等のアナログ回路部における非線形歪を補償する適応プリディストータ型の歪補償送信装置に関し、特に、歪補償部におけるディジタルアナログ変換器のダイナミックレンジの有効利用を図った歪補償送信装置に関する。
【０００２】
【従来の技術】
一般に、無線送信装置に用いる電力増幅器は、電力効率の良い飽和領域に近い領域で使用されるため、電力増幅器出力では帯域外輻射電力が生じる。そのため、アダプティブプリディストータ型等の歪補償装置を用いて、帯域外輻射電力を抑圧し、隣接チャネルへの影響を抑えて信号を送信する方式が採られている。
【０００３】
図７にアダプティブプリディストータ型の歪補償装置の構成を示す。該歪補償装置は、入力される送信信号に、適応歪補償制御部７−１から出力される歪補償係数を乗算部７−２により乗じてプリディストーションを与え、該プリディストーションにより歪補償した信号を、変調部（ＭＯＤ）７−３で変調処理して周波数変換し、ＤＡ変換器７−４によりディジタル信号からアナログ信号に変換し、電力増幅器等のアナログ送信回路部７−５を通して送信する。
【０００４】
電力増幅器等のアナログ送信回路部７−５における非線形歪は、プリディストーションによって歪補償されているため、該アナログ送信回路部７−５からは線形な電力増幅信号が出力される。補償装置を用いることにより、アナログ送信回路部７−５の非線形歪を補償し、高い電力効率と出力信号の線形性とを同時に満たすことが可能になる。
【０００５】
そして、非線形歪を生じる電力増幅器等のアナログ送信回路部７−５の出力信号をフィードバックし、ＡＤ変換器７−６によりアナログ信号からディジタル信号に変換し、復調器（ＤＥＭ）７−７により復調処理したフィードバック信号と、送信すべき信号の入力信号との誤差を減算部７−８に算出し、その誤差が最小となるように適応歪補償制御部７−１において歪補償係数を更新し、徐々に歪補償係数を所定の値に収束させ、定常状態において該所定の値に収束した歪補償係数を送信信号に乗じることよって誤差の少ない歪補償を行うようにしている。
【０００６】
【発明が解決しようとする課題】
図７に示すディジタルプリディストータ型の歪補償装置では、電力増幅器等のアナログ送信回路部７−５の歪を補償するために、入力される送信信号の最大レベルが、歪補償無しの場合に図８の破線で示すように、ＤＡ変換器７−４のダイナミックレンジより若干小さくなるようにし、歪補償有りとしたときに生成されるプリディストーション信号の振幅レベルが、図８の実線で示すようにＤＡ変換器７−４のダイナミックレンジの最大値に近くなるように構成されている。
【０００７】
ただし、アナログ送信回路部７−５の電力増幅器によって歪特性にばらつきがあるため、ＤＡ変換器７−４のダイナミックレンジに余裕を持たせている。そのため、ＤＡ変換器７−４のダイナミックレンジに歪補償未使用領域が生じ、ＤＡ変換器７−４のダイナミックレンジの最大範囲までを有効に活用しきれていなかった。
【０００８】
そこで本発明は、ＤＡ変換器７−４のダイナミックレンジの最大範囲までを有効に活用してディジタル信号をアナログ信号に変換し、ＤＡ変換器７−４の入力信号のビット数を増大させることなく、隣接チャネル漏洩電力を含む帯域外輻射電力を低減することができる歪補償送信装置を提供することを目的とする。
【０００９】
【課題を解決するための手段】
本発明の歪補償送信装置は、（１）電力増幅器等の非線型歪を生じるアナログ送信回路部から出力される送信信号のフィードバック信号と送信すべき信号の入力信号とを比較してその誤差が最小となるような歪補償係数を、送信すべき信号の入力信号に乗じて歪補償し、該歪補償後のディジタル信号の送信信号をアナログ信号に変換し、該アナログ信号の送信信号を前記電力増幅器等のアナログ送信回路部へ送出する歪補償送信装置において、前記アナログ信号の送信信号に変換するディジタルアナログ変換器に入力されるディジタル信号の送信信号の振幅の最大値を検出する手段と、該ディジタル信号の送信信号の振幅の最大値を基に、該ディジタルアナログ変換器に入力されるディジタル信号の送信信号の振幅を調整する手段と、該ディジタルアナログ変換器から出力されるアナログ信号の送信信号の振幅値を調整する手段と、を備えたものである。
【００１０】
また、（２）前記ディジタルアナログ変換器に入力されるディジタル信号の送信信号の振幅の最大値が、該ディジタルアナログ変換器のダイナミックレンジの最大値より僅かに小さい値となるように、前記ディジタルアナログ変換器に入力されるディジタル信号の送信信号の振幅を調整するものである。
【００１１】
また、（３）前記ディジタルアナログ変換器に入力されるディジタル信号の送信信号の振幅を調整する手段を、歪補償送信装置に入力される送信信号のゲインを調整する調整手段としたものである。
【００１２】
また、（４）前記ディジタルアナログ変換器に入力されるディジタル信号の送信信号の振幅を調整する手段を、歪補償送信装置のフィードバック信号のゲインを調整する手段、又は該フィードバック信号と比較される送信すべき入力信号のゲインを調整する手段としたものである。
【００１３】
また、（５）前記アナログ信号の送信信号に変換するディジタルアナログ変換器に入力されるディジタル信号の送信信号の平均電力を算出する手段と、該算出した平均電力を、予め設定された所望の送信信号の出力電力に対応した電力閾値と比較する比較手段と、前記比較手段による比較結果を基に、送信信号の出力電力が該設定された所望の電力値と等しくなるように、前記ディジタルアナログ変換器に入力されるディジタル信号の送信信号の振幅を調整する手段とを備えたものである。
【００１４】
【発明の実施の形態】
図１に本発明の第１の実施形態を示す。同図において、歪補償係数を生成する適応歪補償制御部７−１、歪補償係数を乗算する乗算部７−２、周波数変換を行う変調部（ＭＯＤ）７−３、ディジタル信号をアナログ信号に変換するＤＡ変換器７−４、非線型歪を生じる電力増幅器等のアナログ送信回路部７−５、アナログ信号をディジタル信号に変換するＡＤ変換器７−６、復調器（ＤＥＭ）７−７、誤差を算出する減算部７−８は、図７の構成におけるものと同様であるので説明を省略する。
【００１５】
本発明の第１の実施形態は、ＤＡ変換器７−４に入力される送信信号の振幅レベルを最大値検出部１−１により監視し、所定期間に亙る送信信号の最大値を検出する。最大値検出部１−１で検出した送信信号の最大値は、閾値比較部１−２に入力され、閾値比較部１−２は送信信号の最大値を閾値と比較し、その差を算出するか、又は、閾値として複数の値を用意し、送信信号の最大値がどの閾値の間かを判定する。
【００１６】
閾値比較部１−２における閾値との大小比較判定を基に、ＤＡ変換器７−４に入力する送信信号の最大値が、ＤＡ変換器７−４のダイナミックレンジの最大値と略等しくなるよう、第１のゲイン制御部１−３でゲイン係数を決定し、該ゲイン係数を乗算部１−４で送信信号に乗算してＤＡ変換器７−４に入力する。
【００１７】
また、ＤＡ変換器７−４から出力されるアナログ信号に対して、第１のゲイン制御部１−３によるゲイン係数で振幅を増大させた分、逆に振幅が減衰するよう、第２のゲイン制御部１−５は可変減衰器１−６の減衰量を設定し、送信信号の振幅を可変減衰器１−６のアナログ回路により元の振幅に戻して電力増幅器等のアナログ送信回路部７−５に入力する。
【００１８】
閾値比較部１−２において、ＤＡ変換器７−４に入力される送信信号の最大値が、ＤＡ変換器７−４のダイナミックレンジの最大値に近いと判定された場合は、第１のゲイン制御部１−３は小さなゲイン係数を設定し、また、第２のゲイン制御部１−５は可変減衰器１−６に小さな減衰量を設定する。
【００１９】
このように、ＤＡ変換器７−４に入力される送信信号の最大値と複数の各閾値との比較判定を基に、ＤＡ変換器７−４に入力される送信信号にゲイン係数を乗じ、ＤＡ変換器７−４の入力信号の最大値がＤＡ変換器７−４の最大値より若干小さい値を常に維持するよう、即ち、ＤＡ変換器７−４のダイナミックレンジが常時フルに利用されるようにゲインを制御する。
【００２０】
次に本発明の第２の実施形態を図２に示す。本発明の第２の実施形態は、前述した本発明の第１の実施形態における第１のゲイン制御部１−３とそのゲイン係数を乗じるゲイン係数乗算部１−４とを、歪補償送信装置の入力信号のゲイン調整に用いるようにしたものである。
【００２１】
即ち、図２に示すように、ＤＡ変換器７−４に入力される送信信号の振幅レベルを、最大値検出部２−１により初期の所定期間監視してその最大値を検出し、検出した最大値を閾値比較部２−２に出力する。閾値比較部２−２は送信信号の最大値を複数の閾値と比較し、大小判定を行う。
【００２２】
閾値比較部２−２における各閾値との大小比較判定を基に、ＤＡ変換器７−４に入力される送信信号の最大値が、ＤＡ変換器７−４のダイナミックレンジの最大値と略等しくなるよう、第１のゲイン制御部２−３でゲイン係数を決定し、該ゲイン係数を歪補償前の送信信号に乗算部２−４で乗じて歪補償送信装置に入力する。
【００２３】
また、電力増幅器等のアナログ送信回路７−５から出力される送信出力信号に対して、第１のゲイン制御部２−３によるゲイン係数で振幅を増大させた分、逆に振幅が減衰するよう、第２のゲイン制御部２−５は可変減衰器２−６の減衰量を設定し、送信信号の振幅を可変減衰器２−６のアナログ回路により元の振幅に戻して送信出力とする。
【００２４】
この第２の実施形態においても、ＤＡ変換器７−４に入力される初期の所定期間の送信信号最大値と複数の各閾値との比較判定を基に、歪補償送信装置に入力される送信信号にゲイン係数を乗じ、ＤＡ変換器７−４の入力信号の最大値がＤＡ変換器７−４の最大値より若干小さい値となり、ＤＡ変換器７−４のダイナミックレンジがフルに活用される。
【００２５】
次に本発明の第３の実施形態を図３に示す。フィードバックループを有する歪補償送信装置では、参照信号とフィードバック信号との誤差がゼロとなるように歪補償動作が行われる。そこで、本発明の第３の実施形態は、このフィードバック信号のゲインを調整することにより、歪補償動作を活用してＤＡ変換器７−４の入力信号を増大させるようにしたものである。
【００２６】
図３に示すように、最大値検出部３−１によりＤＡ変換器７−４に入力される送信信号の振幅レベルを初期の所定期間監視してその最大値を検出し、検出した最大値を閾値比較部３−２に出力する。閾値比較部３−２は送信信号の最大値を複数の閾値と比較し、大小判定を行う。
【００２７】
閾値比較部３−２における各閾値との大小比較判定を基に、ＤＡ変換器７−４に入力される送信信号の最大値が、ＤＡ変換器７−４のダイナミックレンジの最大値と比べてどの程度小さいかに応じて、第１のゲイン制御部３−３によりフィードバック信号に対するゲイン係数を小さい値に設定し、該ゲイン係数を乗算部３−４でフィードバック信号に乗じて、入力信号（参照信号）との誤差減算部７−８に入力する。
【００２８】
このように、フィードバック信号のゲインを調整した場合、フィードバック信号と入力信号（参照信号）との差分が大きくなるため、適応歪補償制御部７−１は、歪補償係数を変化させ更新する。その結果、新しく更新された歪補償係数を乗算部７−２で送信信号に乗算するため、歪補償動作によって送信信号の振幅が変化することになる。
【００２９】
第１のゲイン制御部３−３で設定するフィードバック信号に対するゲイン係数をより小さな値にすると、適応歪補償制御部７−１から出力される歪補償係数は大きな値のものとなり、ＤＡ変換器７−４の入力信号の振幅値は増大するので、ＤＡ変換器７−４の入力信号の最大値が、ＤＡ変換器７−４のダイナミックレンジの最大値より若干小さい値となるようにしてＤＡ変換器７−４のダイナミックレンジをフルに活用することができる。
【００３０】
また、第１のゲイン制御部３−３によるゲイン係数でフィードバック信号を減衰させ、歪補償係数を増大させてＤＡ変換器７−４の入力信号の振幅値は増大させた分、電力増幅器等のアナログ送信回路７−５から出力される送信信号を減衰するよう、第２のゲイン制御部３−５は可変減衰器３−６の減衰量を設定し、送信信号の振幅を可変減衰器３−６のアナログ回路により元の振幅に戻して送信出力とする。
【００３１】
図４に本発明の第４の実施形態を示す。この第４の実施形態は第３の実施形態と同様に、参照信号とフィードバック信号との誤差がゼロとなるように歪補償係数が生成される歪補償動作を活用し、第３の実施形態ではフィードバック信号のゲインを調整したのに対し、第４の実施形態は参照信号のゲインを調整するようにしたものである。
【００３２】
図４に示すように、最大値検出部４−１によりＤＡ変換器７−４に入力される送信信号の振幅レベルを初期の所定期間監視してその最大値を検出し、検出した最大値を閾値比較部４−２に出力する。閾値比較部４−２は送信信号の最大値を複数の閾値と比較し、大小判定を行う。
【００３３】
閾値比較部４−２における各閾値との大小比較判定を基に、ＤＡ変換器７−４に入力される送信信号の最大値が、ＤＡ変換器７−４のダイナミックレンジの最大値と比べてどの程度小さいかに応じて、第１のゲイン制御部４−３により送信信号の（参照信号）に対するゲイン係数を大きい値に設定し、該ゲイン係数を乗算部４−４で参照信号に乗じて、フィードバック信号との誤差を算出する減算部７−８に入力する。
【００３４】
このように参照信号のゲインを調整した場合でも第３の実施形態と同様に、フィードバック信号との差分が大きくなるため、適応歪補償制御部７−１は、歪補償係数を変化させ、その結果、新しく更新された歪補償係数を乗算部７−２で送信信号に乗算するため、歪補償動作によって送信信号の振幅が変化する。
【００３５】
第１のゲイン制御部４−３で設定する参照信号に対するゲイン係数をより大きな値にすると、適応歪補償制御部７−１から出力される歪補償係数は大きな値のものとなり、ＤＡ変換器７−４の入力信号の振幅値は増大するので、ＤＡ変換器７−４の入力信号の最大値が、ＤＡ変換器７−４のダイナミックレンジの最大値より若干小さい値となるようにしてＤＡ変換器７−４のダイナミックレンジをフルに活用することができる。
【００３６】
また、第１のゲイン制御部４−３によるゲイン係数で参照信号の振幅を増大させ、歪補償係数を増大させてＤＡ変換器７−４の入力信号の振幅値は増大させた分、電力増幅器等のアナログ送信回路７−５から出力される送信信号を減衰するよう、第２のゲイン制御部４−５は可変減衰器４−６の減衰量を設定し、送信信号の振幅を可変減衰器４−６のアナログ回路により元の振幅に戻して送信出力とする。
【００３７】
次に図５に本発明の第５の実施形態を示す。この実施形態は、ＤＡ変換器７−４に入力される送信信号の平均電力値を平均電力演算部５−１により算出し、該平均電力値と予め設定された所望の電力値とを電力値マップ比較部５−２により比較し、その比較結果を基にゲイン制御部５−３によりゲイン係数を算定し、例えば図５に示すようにフィードバック信号に対して乗算部５−５で該ゲイン係数を乗じてフィードバック信号のゲインを調整し、適応歪補償制御部７−１による歪補償動作を活用してＤＡ変換器７−４の入力信号を増大させる。
【００３８】
なお、上記ゲイン制御部５−３によりゲイン調整を行うためのゲイン係数乗算部５−５は、図５のようにフィードバック信号に対して行う構成例以外に、ＤＡ変換器７−４への入力信号、歪補償装置の入力信号、又は参照信号の何れかに対して乗算を行う構成に容易に変形することができる。
【００３９】
電力値マップ比較部５−２には、図６に示すような所望の送信出力電力に対応した電力閾値を格納した電力値マップ６−１を有し、平均電力演算部５−１で算出した平均電力値と、電力値マップ６−１に設定された所望の送信出力電力に対応した電力閾値とを電力値比較部６−２により比較し、その比較結果を基に、送信出力電力が、該設定された所望の送信出力電力となるようにゲイン制御部５−３によりゲイン調整を行う。
【００４０】
また、ゲイン制御部５−３によるゲイン調整は、平均電力値に基づくゲイン調整を行うと同時に、最大値検出部５−４によりＤＡ変換器７−４の入力信号の最大値を検出し、ＤＡ変換器７−４の入力信号がＤＡ変換器７−４のダイナミックレンジを越える場合は、ＤＡ変換器７−４の入力信号がＤＡ変換器７−４のダイナミックレンジより若干小さい値となるよう調整する。
【００４１】
ＤＡ変換器７−４のダイナミックレンジを越えるＤＡ変換器７−４の入力信号の最大値を放置したままにしておくと、電力増幅器７−５の出力信号のスペクトラムが劣化するため、ゲイン制御部５−３によりゲインを調整し、それに合わせて可変減衰器５−６の減衰量を調整する。
【００４２】
【発明の効果】
以上説明したように、本発明によれば、ディジタルプリディストータ型の歪補償装置における歪補償したディジタル信号をアナログ信号に変換するＤＡ変換器の入力信号の振幅レベルを調整してＤＡ変換器のダイナミックレンジを略最大範囲まで有効に利用したディジタルアナログ変換を行うことができる。
【００４３】
また、歪補償したディジタル信号をアナログ信号に変換するＤＡ変換器の入力信号の振幅レベルを調整する手段を用いて、送信信号の平均電力を任意の平均電力に設定することが可能となる。
【図面の簡単な説明】
【図１】本発明の第１の実施形態を示す図である。
【図２】本発明の第２の実施形態を示す図である。
【図３】本発明の第３の実施形態を示す図である。
【図４】本発明の第４の実施形態を示す図である。
【図５】本発明の第５の実施形態を示す図である。
【図６】本発明の電力値マップ比較部の構成例を示す図である。
【図７】従来のアダプティブプリディストータ型の歪補償装置の構成を示す図である。
【図８】従来のＤＡ変換器の入力信号の例を示す図である。
【符号の説明】
１−１　最大値検出部
１−２　閾値比較部
１−３　第１のゲイン制御部
１−４　乗算部
１−５　第２のゲイン制御部
１−６　可変減衰器
７−１　適応歪補償制御部
７−２　乗算部
７−３　変調部（ＭＯＤ）
７−４　ＤＡ変換器
７−５　アナログ送信回路部
７−６　ＡＤ変換器
７−７　復調器（ＤＥＭ）
７−８　減算部
【図１】
2004032252.tif 000003
【図２】
2004032252.tif 000004
【図３】
2004032252.tif 000005
【図４】
2004032252.tif 000006
【図５】
2004032252.tif 000007
【図６】
2004032252.tif 000008
【図７】
2004032252.tif 000009
【図８】
2004032252.tif 000010